(57)【特許請求の範囲】
【請求項１】
板状部材の端面に近接して棒状光源を配置し、前記棒状光源より出射される照明光を前記端面より前記板状部材に入射し、前記照明光を屈曲して前記板状部材の出射面より出射する面光源装置において、
板状の光学ブロックを前記板状部材の出射面に配置して、前記出射面より出射される前記照明光の指向性を補正し、
前記光学ブロックは、
前記出射面側の面及び前記出射面側の面と対向する面の少なくとも１面において、前記端面側より所定の範囲にある前記端面に沿った領域を除いた領域の全部又は一部に、斜面を有する繰り返し形状が繰り返されて、前記照明光の指向性を補正する指向性補正面が形成された
ことを特徴とする面光源装置。
【請求項２】
前記棒状光源から出射された照明光は、前記棒状光源を囲む反射部材によりその一部が反射されて前記端面に入射し、
前記光学ブロック及び前記板状部材は、前記反射部材の端部を挟持する
ことを特徴とする請求項１に記載の面光源装置。
【請求項３】
前記光学ブロック及び又は前記板状部材に一体に形成された保持機構により、前記光学ブロック及び前記板状部材を一体化して保持する
ことを特徴とする請求項１又は請求項２に記載の面光源装置。
【発明の詳細な説明】
【０００１】
【発明の属する技術分野】
本発明は、液晶表示装置等に適用される面光源装置に関し、例えば板状の光学ブロックにより照明光の指向性を補正するサイドライト型面光源装置に適用するものである。本発明は、このサイドライト型面光源装置等において、この光学ブロックの入射面側を鏡面に形成する等により、簡易な構成で高品位の照明光を出射できるようにする。
【０００２】
【従来の技術】
従来、例えば液晶表示装置に適用される面光源装置においては、面光源を形成する板状部材の背面に一次光源を配置するものと、この板状部材の側面に一次光源を配置するもの（すなわちサイドライト型面光源装置でなる）とがあり、何れの場合でもこの板状部材の出射面に配置した光制御部材により出射光の指向性を補正するようになされている。
【０００３】
このうちサイドライト型面光源装置は、棒状光源でなる一次光源を板状部材（すなわち導光板でなる）の側方に配置し、この一次光源より出射される照明光を導光板の端面より導光板に入射する。さらにサイドライト型面光源装置は、この照明光を屈曲して、導光板の平面より液晶パネルに向けて出射するように構成され、これにより全体形状を薄型化できるようになされている。
【０００４】
このようなサイドライト型面光源装置は、ほぼ均一な板厚により導光板を形成した方式のものと、一次光源より遠ざかるに従って導光板の板厚を徐々に薄く形成した形式のものとがある。
【０００５】
図１７は、サイドライト型面光源装置の構成を示す分解斜視図であり、このサイドライト型面光源装置１は、光散乱導光体からなる導光板としての光散乱導光板２の側方に一次光源３を配置し、反射シート４、光散乱導光板２、光制御部材としての光学ブロック５を積層して形成される。このうち一次光源３は、冷陰極管でなる蛍光ランプ６の周囲を、断面略半円形形状の正反射部材でなるリフレクター７で囲って形成され、リフレクター７の開口側より光散乱導光板２の端面に照明光を入射する。
【０００６】
反射シート４は、金属箔等でなるシート状の正反射部材、又は白色ＰＥＴフィルム等でなるシート状の乱反射部材により形成され、光散乱導光板２より漏れ出す照明光を光散乱導光板２に反射する。
【０００７】
光散乱導光板２は、楔形断面形状の導光板で、例えばポリメチルメタクリレート（ＰＭＭＡ）からなるマトリックス中に、これと屈折率の異なる透光性の微粒子が一様に混入分散されて形成される。これによりＡ−Ａ線により断面を取って図１８に示すように、この光散乱導光板２は、一次光源側の端面でなる入射面Ｔより照明光Ｌを入射し、透光性の微粒子により照明光Ｌを散乱させながら、また反射シート４に乱反射部材を適用した場合は、この反射シート４により一部乱反射させながら、反射シート４側の平面（以下反射面と呼ぶ）と光学ブロック５側の平面（以下出射面と呼ぶ）との間を繰り返し反射して照明光Ｌを伝播する。
【０００８】
この伝播の際に、照明光Ｌは、斜面で反射する毎に出射面に対する入射角が徐々に低下し、出射面に対して臨界角以下の成分が出射面より出射される。この出射面より出射される照明光Ｌは、照明光Ｌが光散乱導光板２の内部において透光性の微粒子により散乱され、また反射シート４により乱反射して伝播すること等により、出射面により出射される。しかしながらこの照明光Ｌは、出射面と反射面との間で反射を繰り返して伝播することにより、矢印Ｂにより拡大して示すように、主たる出射方向が楔形状の先端方向に傾いて形成される。すなわち導光板からの出射光Ｌが指向性を有するようになり、これによりサイドライト型面光源装置１は、指向出射性を有するようになる。
【０００９】
光学ブロック５は、この指向性を補正するために配置される。すなわち光学ブロック５は、アクリル等の透光性の樹脂により、光散乱導光板２に対して相補的に板厚が変化するように、光散乱導光板２の入射面側より遠ざかるに従って板厚が増大するように形成される。さらに光学ブロック５は、光散乱導光板２側の面及びこの面と対向する面にそれぞれプリズム面が形成される。このプリズム面は、それぞれ斜面を有する繰り返し形状として、断面三角形形状の突起が繰り返されて形成される。ここで光散乱導光板２側のプリズム面においては、この断面三角形形状の突起が入射面と平行に延長するように配置され、これと対向するプリズム面においては、入射面と直交する方向に延長するように配置される。これにより矢印Ｂで拡大して示すように、光散乱導光板２側のプリズム面においては、入射面Ｔより楔形先端に向かう方向（以下Ｙ方向と呼ぶ）に傾いた出射光の指向性を出射面の正面方向に補正する。これに対して矢印Ｃで拡大して示すように、これに対向するプリズム面においては、入射面Ｔと平行の方向（以下Ｘ方向と呼ぶ）について、照明光の広がりを補正する。
【００１０】
なお、このように指向出射性を有する導光板としては、透明部材又は半透明部材により、楔形形状又は楔形形状に近い形状に導光板を形成したもの、あるいは平板形状に導光板を形成し、この導光板の出射面及び又は裏面に散乱膜、梨地面、微小レンズアレイ等を形成したものもある。このような導光板を用いたサイドライト型面光源装置においても、同様に、出射光を正面方向に効率良く出射できるようになされている。
【００１１】
【発明が解決しようとする課題】
ところでこの種のサイドライト型面光源装置においては、図１７において記号Ｄにより示すように、入射面近傍において、入射面と平行に明暗の縞模様が発生し、これにより出射光の品位が低下する問題がある。この縞模様のうち、線状の輝線と帯状の暗帯は、光散乱導光板２の入射面及び入射面のエッジを処理して防止できることが判った。しかしながらこれらの処理によっても入射面近傍の輝度ムラは、完全に防止できない問題がある。
【００１２】
本発明は以上の点を考慮してなされたもので、板状の光制御部材を使用するサイドライト型面光源装置において、入射面近傍に発生する輝度ムラを低減して、高品位の照明光を出射することができるサイドライト型面光源装置等を提案しようとするものである。
【００１３】
【課題を解決するための手段】
かかる課題を解決するため請求項１の発明においては、サイドライト型面光源装置において、板状部材の出射面に配置した板状の光学ブロックにより、出射面より出射される照明光の指向性を補正することを前提とする。この光学ブロックにおいて、出射面側の面及び出射面側の面と対向する面の少なくとも１面において、板状部材の端面側より所定の範囲にある前記端面に沿った領域を除いた領域の全部又は一部に、斜面を有する繰り返し形状を繰り返して、照明光の指向性を補正する指向性補正面を形成する。
【００１４】
このとき棒状光源が、周囲を囲む反射部材により照明光の一部を反射して先の端面に入射する場合に、光学ブロック及び板状部材により、この反射部材の端部を挟持する。
【００１５】
さらにこれらの場合に、光学ブロック及び又は板状部材に形成された保持機構により、光学ブロック及び板状部材を一体化して保持する。
【００１８】
光学ブロックにおいて、出射面側の面及び出射面側の面と対向する面の少なくとも１面において、板状部材の端面側より所定の範囲にある前記端面に沿った領域を除いた領域の全部又は一部に、照明光の指向性を補正する指向性補正面を形成すれば、端面側においては、この指向性補正面が形成されていないことにより、この端面側の面を種々に選定して、この端面側の面が照明光に照らし出されて出射面より観察されてなる輝度ムラを有効に回避することができる。
【００１９】
このとき光学ブロック及び板状部材により反射部材の端部を挟持すれば、反射部材の保持機構を簡略化することができる。またこれに代えて、又はこれに加えて、光学ブロック及び又は板状部材に形成された保持機構により、光学ブロック及び板状部材を一体化して保持すれば、光学ブロック及び板状部材を簡易に保持することができる。
【００２１】
【発明の実施の形態】
以下、適宜図面を参照しながら本発明の実施の形態を詳述する。
【００２２】
（１）第１の実施の形態
図１は、本発明の実施の形態に係るサイドライト型面光源装置を示す斜視図であり、図２は、このサイドライト型面光源装置１０をＥ−Ｅ線により取って示す断面図である。なおこの図１において、上述した図１７と共通する構成は、対応する符号を付して示し、重複した説明は省略する。
【００２３】
このサイドライト型面光源装置１０において、光散乱導光体からなる導光板としての光散乱導光板１１は、ポリメチルメタクリレートからなるマトリックス中に透光性の微粒子が混入分散されて断面楔形形状に形成され、一次光源３より出射される照明光Ｌを入射面でなる端面Ｔより入射する。さらに光散乱導光板１１は、透光性の微粒子により照明光Ｌを散乱させながら、また反射シート４に乱反射部材を適用した場合は、この反射シート４により一部乱反射させながら、この照明光Ｌを反射面及び出射面の間を繰り返し反射して伝播し、臨界角以下の成分を出射面より出射する。
【００２４】
この光散乱導光板１１は、入射面Ｔがマット面処理により一様に所定粗さのマット面（シボ面）に形成され、これにより光散乱機能を持つように入射面Ｔが粗面に形成される。さらに光散乱導光板１１は、出射面と平行な、入射面Ｔの上下エッジＥに、遮光手段としてのインクが付着される。ここでエッジＥは、図２において符号Ｆで示すように、微視的に見れば曲率半径Ｒが０．０５〔ｍｍ〕程度の曲面になっており、この曲面上にインクがインク層の状態で付着されるようになされている。なおこのインクの付着処理は、インクを付着した板状部材にエッジＥを押し付けてインクをエッジＥに転写して実行される。これにより光散乱導光板１１は、エッジＥに、線状に、極めて小さな線幅でインクが付着され、このインクによりエッジから入射する照明光を遮光するようになされている。
【００２５】
すなわち光散乱導光板１１において、エッジＥより入射する照明光は、入射面Ｔより入射した照明光と同様に、反射面及び出射面を繰り返し反射して伝播し、臨界角以下の成分が出射面より出射する。これにより出射面より見て、明るく照らし出されたエッジＥが繰り返し輝線として観察され、この輝線が輝度ムラとして観察される。これにより光散乱導光板１１は、インクでエッジＥを遮光してこの輝線の発生を防止し、輝度ムラを低減するようになされている。
【００２６】
これに対して入射面Ｔより入射する照明光は、入射面Ｔ近傍において、出射面に対して臨界角以下の成分が不足し、これによりエッジＥによる輝線が目立たなくなると、入射面近傍で出射光量の不足が目立つようになる。輝線が発生している場合、この光量不足が暗帯として観察されることになる。これにより光散乱導光板１１は、入射面Ｔの光拡散機能により、この不足する臨界角以下の成分を増強し、入射面近傍における輝度ムラを低減する。
【００２７】
さらに光散乱導光板１１は、出射面側の隅部において、両側面より飛び出すようにつば１３Ａ〜１３Ｄが形成され、各つば１３Ａ〜１３Ｄにそれぞれ光学ブロック側に飛び出す円柱形状の突起１４Ａ〜１４Ｄが形成されるようになされている。
【００２８】
これに対応して光学ブロック１５は、光散乱導光板１１側面の隅部において、両側面より飛び出すようにつば１６Ａ〜１６Ｄが形成され、各つば１６Ａ〜１６Ｄにそれぞれ円形形状の貫通穴１７Ａ〜１７Ｄが形成される。これにより光散乱導光板１１及び光学ブロック１５は、つば１３Ａ〜１３Ｄ及び１６Ａ〜１６Ｄ、突起１４Ａ〜１４Ｄ、貫通穴１７Ａ〜１７Ｄにより保持機構を形成し、Ｇ−Ｇ線により断面を取って図３に示すように、貫通穴１７Ａ〜１７Ｄにそれぞれ突起１４Ａ〜１４Ｄを圧入して、簡易な構成及び作業により光散乱導光板１１及び光学ブロック１５を一体化できるようになされている。
【００２９】
光学ブロック１５は、光散乱導光板１１の入射面側より遠ざかるに従って板厚が徐々に厚くなるように形成され、これにより光散乱導光板１１に対して板厚が相補的に変化するように設定されて、光散乱導光板１１と共にサイドライト型面光源装置１０の既略形状を長方体形形状に形成する。
【００３０】
図２において符号Ｈで示す入射面側の領域を拡大して図４に示すように、さらに光学ブロック１５は、光散乱導光板１１側面及びこれと対向する面において、それぞれ光散乱導光板１１の入射面側より所定の領域ＡＲ１及びＡＲ２を除いて、プリズム面が形成される。ここで光散乱導光板１１側のプリズム面は、斜面を有する繰り返し形状として入射面と平行に延長する断面三角形形状の突起が繰り返し形成され、これと対向するプリズム面は、入射面と直交する方向に延長する断面三角形形状の突起が繰り返し形成される。これにより光学ブロック１５は、光散乱導光板１１より出射される照明光の指向性をこれら突起の斜面により補正して出射する。これによりプリズム面は、照明光の指向性を補正する指向性補正面を構成する。
【００３１】
このサイドライト型面光源装置１０においては、反射シート４を光散乱導光板１１に固定した状態で、断面コの字状のフレーム１７によりリフレクター７の上下端をそれぞれ光学ブロック１５及び光散乱導光板１１に押し付ける（図２）。光学ブロック１５の領域ＡＲ１及びＡＲ２は、このフレーム１７により隠れる範囲で、かつ光散乱導光板１１の入射面Ｔの下側エッジより入射した照明光が光散乱導光板１１の出射面に対して臨界角で入射する範囲を含むように選定される。
【００３２】
さらにこれらの領域ＡＲ１及びＡＲ２のうち、光散乱導光板１１側の領域ＡＲ１は、断面三角形形状の突起の根元より光散乱導光板１１の出射面と平行に延長する鏡面Ｍ１により形成される。これにより光学ブロック１５においては、この入射面側の領域ＡＲ１における照明光の散乱を有効に回避して、この領域ＡＲ１が明るく照らし出されないようにし、明るく照らし出されたこの領域ＡＲ１がプリズム面より観察されてなる輝度ムラを防止する。
【００３３】
これに対してフレーム１７側の領域ＡＲ２は、断面三角形形状の突起の頂点より平坦に延長する鏡面Ｍ２により形成される。これにより光学ブロック１５は、この領域ＡＲ２についても照明光の散乱を有効に回避し、明るく照らし出されたこの領域ＡＲ２がプリズム面より観察されてなる輝度ムラを防止する。
【００３４】
この鏡面Ｍ２に対して、シート状の正反射部材でなるリフレクター７は、上側の端部が所定の接着剤により光学ブロック１５に接着される。ここでこの接着剤は、光学ガラスの接着に使用される接着剤であり、透過率が高く、光学ブロックと屈折率がほぼ等しい接着剤である。これにより光学ブロック１５は、リフレクター７及び鏡面Ｍ２の境界面においても、この領域ＡＲ２が明るく照らし出されないようにし、明るく照らし出されたこの領域ＡＲ２がプリズム面より観察されてなる輝度ムラを防止する。
【００３５】
さらに光学ブロック１５は、照明光伝播方向の端面（図２）に、反射シート１８を保持し、この反射シート１８により端部より漏れ出す照明光を光学ブロック１５の内部に反射する。これにより光学ブロック１５は、照明光を有効に利用するようになされている。ここでこの反射シート１８は、リフレクター７と同様のシート状の正反射部材でなり、リフレクター７と同様の接着剤による接着により光学ブロック１５に取り付けられている。これにより光学ブロック１５は、端面における照明光の散乱を有効に回避し、この照明光の散乱による端面側における輝度レベルの部分的な増大を有効に回避する。
【００３６】
これに対して反射シート４（図２）は、正反射部材でなる緩衝シート１９を介して、反射シート１８と同一の接着剤により光散乱導光板１１の反射面に保持される。このとき反射シート４は、入射面側においては、この緩衝シート１９の幅が入射面側より領域ＡＲ１の範囲に保持される。これにより反射シート４においても領域ＡＲ１の範囲においては、光散乱導光板１１との境界面における乱反射が有効に回避され、この乱反射が出射面側より観察されてなる輝度ムラを防止するようになされている。
【００３７】
フレーム１７においては、この反射シート４の外側よりリフレクター７の下側端面を光散乱導光板１１に押圧して保持する。
【００３８】
以上の構成において、サイドライト型面光源装置１０は、光散乱導光板１１の側面に一体に形成されたつば１３Ａ〜１３Ｄの突起１４Ａ〜１４Ｄを、光学ブロック１５の側面に一体に形成されたつば１６Ａ〜１６Ｄの貫通穴１７Ａ〜１７Ｄに圧入して、光散乱導光板１１及び光学ブロック１５を一体化した後（図３）、反射シート４、蛍光ランプ６、リフレクター７、フレーム１７が配置されて形成される。
【００３９】
このサイドライト型面光源装置１０において、蛍光ランプ６から出射された照明光は（図１及び図２）、直接に、又はリフレクター７で反射された後、入射面Ｔより光散乱導光板１１の内部に入射し、この照明光Ｌが反射面と出射面との間で反射を繰り返しながら、光散乱導光板１１の内部を伝播する。このとき照明光Ｌは、光散乱導光板１１の内部で散乱を受けながら、反射面で反射する毎に出射面に対する入射角が徐々に低下し、出射面に対して臨界角以下の成分が出射面より出射された後、光学ブロック１５により指向性が補正される。これによりこの光学ブロック１５の前面に配置された液晶パネルが照明される。
【００４０】
このようにして蛍光ランプ６から出射される照明光のうち（図２）、入射面ＴのエッジＥに入射する照明光は、このエッジＥに付着したインクにより遮光され、リフレクター７側に反射される。これによりエッジＥの輝きが有効に回避され、このエッジＥの線状の輝きが出射面より観察されてなる輝線の発生が有効に回避される。また入射面Ｔより入射する照明光は、粗面に形成された入射面Ｔにより散乱され、これにより出射面より出射される光量の分布が入射面側に偏るようになり、輝度ムラが低減される。
【００４１】
これに対して入射面Ｔより入射する照明光のうち一部は（図４）、フレーム１７により隠れる光学ブロック１５の端部に入射し、鏡面Ｍ１により反射されて光散乱導光板１１に戻され、又は鏡面Ｍ１を透過した後、鏡面Ｍ２、リフレクター７により反射される。このときこれらの照明光は、鏡面Ｍ１により乱反射が有効に回避される。また鏡面Ｍ２により、さらには鏡面Ｍ２及びリフレクター７間の光学ガラスの接着剤により、鏡面Ｍ２、鏡面Ｍ２及びリフレクター７の境界面における乱反射が有効に回避される。これによりこれらの領域が照らし出されて観察されてなる輝度ムラが有効に回避される。
【００４２】
また照明光のうち光学ブロック１５の先端側端面（図２）に到達する成分は、光学ガラスの接着剤により接着された反射シート１８により光学ブロック１５の内部に反射され、これによりこの先端側における輝度レベルの部分的な増大が有効に回避されて照明光の有効利用が図られる。
【００４３】
以上の構成によれば、入射面側、フレーム１７により隠れる領域ＡＲ１及びＡＲ２を除いて、光学ブロック１５に指向性補正面としてのプリズム面を形成し、これら領域ＡＲ１及びＡＲ２を鏡面に形成したことにより、さらに領域ＡＲ２側においては光学ガラスの接着剤によりリフレクター７を接着保持したことにより、これらの領域ＡＲ１及びＡＲ２における照明光の散乱を有効に回避することができ、これらの領域ＡＲ１及びＡＲ２の輝きが観察されてなる輝度ムラを有効に回避することができる。
【００４４】
また光散乱導光板１１及び光学ブロック１５の側面に一体につば１３Ａ〜１３Ｄ、１６Ａ〜１６Ｄ、突起１４Ａ〜１４Ｄ、貫通穴１７Ａ〜１７Ｄを形成し、これらにより保持機構を形成して光散乱導光板１１及び光学ブロック１５を一体化することにより、簡易な構成で、かつ簡易な作業でサイドライト型面光源装置を作成することができる。
【００４５】
（２）第２の実施の形態
図５は、本発明の第２の実施の形態に係るサイドライト型面光源装置を図２との対比により示す断面図であり、このサイドライト型面光源装置２０では、第１の実施の形態における光学ブロック１５に代えて光学ブロック２１が適用される。なおこのサイドライト型面光源装置２０において、第１の実施の形態と同一の構成は対応する符号を付して示し、重複した説明は省略する。
【００４６】
この実施の形態において、光学ブロック２１は、第１の実施の形態に係るサイドライト型面光源装置１０の光学ブロック１５と同様に、貫通穴を有するつばが一体に形成され、これにより光散乱導光板１１と簡易に一体化できるようになされている。
【００４７】
さらに光学ブロック２１は、符号Ｉにより入射面Ｔ側の端部を拡大して図６に示すように、光散乱導光板１１とでリフレクター７の上側端部を挟持してリフレクター７を保持する。すなわち光学ブロック２１は、フレーム側の面においては、指向性補正面としてのプリズム面が全面に形成されるのに対し、光散乱導光板１１側の面においては、フレーム１７により隠れる入射面Ｔ側の領域ＡＲ３を除いてプリズム面が形成される。
【００４８】
この領域ＡＲ３においては、プリズム面を構成する突起の斜面のほぼ中央より光散乱導光板１１の出射面とほぼ平行に延長するように平面Ｍ３に形成され、この平面Ｍ３と光散乱導光板１１の出射面とでリフレクター７を挟持する。
【００４９】
図５に示す構成によれば、光散乱導光板１１及び光学ブロック２１に保持機構を形成すると共に、光散乱導光板１１及び光学ブロック２１によりリフレクター７の上側端部を挟持してリフレクター７を保持することにより、リフレクター７を光学ブロック２１に位置決めした後、光散乱導光板１１を押圧するだけの簡易な作業により光学ブロック２１及び光散乱導光板１１を一体化し、かつリフレクター７の一端を固定することができ、これにより第１の実施の形態の効果に加えて、さらに一段と簡易な作業でサイドライト型面光源装置を作成することができる。
【００５０】
（３）第３の実施の形態
図７は、本発明の第３の実施の形態に係るサイドライト型面光源装置を図１との対比により示す斜視図である。このサイドライト型面光源装置２５においては、光学ブロック２７側に形成した保持機構により光散乱導光板２６及び光学ブロック２７を一体化する。なおこの図７に示す構成において、第１の実施の形態と同一の構成は対応する符号を付して示し、重複した説明は省略する。
【００５１】
すなわち光散乱導光板２６は、エッジＥの遮光処理、入射面Ｔのマット面処理を除いて、従来の光散乱導光板と同一に形成される。これに対して光学ブロック２７は、側面、四隅に、光散乱導光板２６に向かって突出するように爪２７Ａ〜２７Ｄが形成される。これによりＪ−Ｊ線により断面を取って図８に示すように、光学ブロック２７は、爪２７Ａ〜２７Ｄにより光散乱導光板２６を一体に保持する。なおこの実施の形態においても、上述した第２の実施の形態と同様に、光散乱導光板２６及び光学ブロック２７は、リフレクター７の上側、端部を挟持する。
【００５２】
図７に示す構成によれば、光学ブロック側に形成した保持機構により光学ブロック及び光散乱導光板を一体化することにより、第２の実施の形態と同様の効果を得ることができる。なお光散乱導光板においては、側面につば等を形成すると、側面で反射する照明光がつばの部分でさらに外側に広がることにより、部分的に出射光量が低下して輝度ムラが発生する場合がある。ところがこの実施の形態のように、光学ブロック側に保持機構を形成すれば、この種のつば等に起因する輝度ムラの発生を有効に回避することができる。
【００５３】
（４）第４の実施の形態
図９は、本発明の第４の実施の形態に係るサイドライト型面光源装置を図１との対比により示す断面図である。このサイドライト型面光源装置３０においても、光学ブロック３２側に形成した保持機構により光散乱導光板３１及び光学ブロック３２を一体化する。なおこの図９に示す構成において、図２と同一の構成は対応する符号を付して示し、重複した説明は省略する。
【００５４】
すなわちこの実施の形態において、光散乱導光板３１は、エッジＥの遮光処理、入射面Ｔのマット面処理を除いて、従来の光散乱導光板と同一に形成される。これに対して光学ブロック３２は、側面、入射面Ｔ側に、第３の実施の形態について上述した爪が形成される。これによりこの実施の形態では、この爪により光散乱導光板３１、光学ブロック３２、反射シート４を一体化する。
【００５５】
これに対して光散乱導光板３１の楔型先端側において、光学ブロック３２は、先端方向に全体が飛び出すように形成され、この飛び出した光散乱導光板３２側の端部３２Ａが断面コの字状に形成されるようになされている。これにより光学ブロック３２は、このコの字状の空隙に光散乱導光板３１及び反射シート４を保持する。
【００５６】
さらに光学ブロック３２は、この光散乱導光板３１の楔型先端側の端面に、光拡散シート３３を接着により保持する。これにより光学ブロック３２は、光散乱導光板３１に比して光散乱導光板３１の楔型先端方向に拡大した面より照明光を出射できるように形成され、この拡大した部分において低下する照明光の光量を、拡散シート３３で散乱した照明光により補うようになされている。
【００５７】
図９に示す構成によれば、光学ブロック３２にコの字状の空隙を形成し、この空隙により光散乱導光板３１及び反射シート４を保持したことにより、第３の実施の形態と同様の効果を得ることができる。
【００５８】
（５）第５の実施の形態
図１０は、本発明の第５の実施の形態に係るサイドライト型面光源装置の光源側を拡大して示す断面図である。このサイドライト型面光源装置３５においては、リフレクター７の端面が光散乱導光板３６の入射面Ｔに突き当たるようにリフレクター７を保持する。
【００５９】
図１０に示すように、リフレクター７の端面を光散乱導光板１１の入射面Ｔに突き当てて保持する場合でも、入射面側、フレームにより隠れる領域を鏡面Ｍ１及びＭ２に形成することにより、第２の実施の形態と同様に、輝度ムラを低減することができる。
【００６０】
（６）他の実施の形態
なお上述の実施の形態では、光学ブロックにおいて、断面三角形形状の突起に対して、この突起のほぼ中央部分、根元部分、頂点より平面を形成する場合について述べたが、本発明はこれに限らず、光散乱導光板側の面、これと対向する面の何れについても、必要に応じて図１１〜図１３に示すように、突起に対して種々の高さによりこれらの面を形成してもよい。なお図１１は、突起のほぼ中央部分より平面を形成する場合、図１２は、突起の頂点より飛び出して平面を形成する場合、図１３は、突起の根元より奥まって平面を形成する場合である。
【００６１】
さらに上述の実施の形態では、光学ブロックにおいて、入射面Ｔ側のフレームに隠れる一定領域の平面を鏡面に形成する場合について述べたが、本発明はこれに限らず、必要に応じてこの一定領域を指向性補正面と異なる種々の面に設定して出射光の品位を向上することができる。
【００６２】
すなわちフレームにより隠される面積が大きい場合は、入射面の粗面化に代えて、この大きな面積に対応する領域をマット面等の光散乱面に形成することにより、輝度ムラの発生を有効に回避して入射面側の輝度レベルを補正することができる。またこれを局所的に実行して長さの短い蛍光ランプを適用した際に発生する入射面側の隅部における輝度レベルの低下を補正することができる。さらにこれを入射面側の両隅部で非対称に実行してホット側及びコールド側にて相違する蛍光ランプの光量による輝度ムラを補正することもでき、さらには蛍光ランプをシフトして配置した際の入射面側の両隅部で発生する輝度のレベル相違を補正することもできる。さらにリフレクターを挟持する場合は、図１４に示すように、微小な三角錐形状の突起を形成して、リフレクターを挟持する力を増大してもよい。
【００６３】
さらに上述の実施の形態では、斜面を有する繰り返し形状として断面三角形形状の突起を適用して指向性補正面を形成する場合について述べたが、本発明はこれに限らず、この繰り返し形状においては斜面を有する種々の形状を適用することができ、例えば図１５に示すように、断面正弦波状の突起でなる繰り返し形状により指向性補正面を形成してもよく、さらには図１６に示すように、断面円弧形状の突起でなる繰り返し形状により指向性補正面を形成してもよく、さらには三角錐形状、四角錐形状の突起でなる繰り返し形状により指向性補正面を形成してもよい。また出射面側の面とこれと対向する面とで、異なる繰り返し形状により指向性補正面を形成してもよく、これらの面の１つについてだけ指向性補正面を形成してもよい。
【００６４】
また上述の実施の形態では、光学ブロック及び又は光散乱導光板に形成した保持機構により光学ブロック及び光散乱導光板を一体化すると共に、光学ブロックの一部に鏡面等を形成して輝度ムラを低減する場合について述べたが、本発明による輝度ムラの低減はこれに限らず、別体に形成した保持機構により光学ブロック及び光散乱導光板を一体化する場合にも広く適用することができる。
【００６５】
またこれとは逆に、本発明による光学ブロック及び光散乱導光板の保持機構は、併せて光学ブロックの一部に鏡面等を形成して輝度ムラを低減する場合に限られるものではなく、また上述の実施の形態に係る保持機構にも限られるものでもない。
【００６６】
さらに上述の実施の形態では、光学ブロック及び又は光散乱導光板に形成した保持機構により、単に光学ブロック及び光散乱導光板を一体化する場合について述べたが、本発明はこれに限らず、併せてフレームを一体化する場合等にも適用することができる。
【００６７】
また上述の実施の形態では、透光性の微粒子を混入分散して光散乱導光板を構成する場合について述べたが、本発明はこれに限らず、シリカ等の微粒子を透明樹脂に混入分散して光散乱導光板を構成する場合にも適用することができる。
【００６８】
さらに上述の実施の形態では、光散乱導光板を適用して面光源装置を構成する場合について述べたが、本発明はこれに限らず、透明部材による断面楔型形状の導光板を用いたサイドライト型面光源装置にも適用することができる。さらには平板形状に導光板を形成したサイドライト型面光源装置、板状部材の背面より一次光源の照明光を入射する面光源装置等、種々の面光源装置に広く適用することができる。
【００６９】
さらに上述の実施の形態では、液晶表示装置の面光源装置に本発明を適用した場合について述べたが、本発明はこれに限らず、種々の照明機器、表示装置等の面光源装置に広く適用することができる。
【００７０】
【発明の効果】
上述のように本発明によれば、入射面側の一定領域を除く全部又は一部に指向性補正面を形成することにより、この入射面側の一定領域を種々に設定して、出射光の輝度ムラを低減することができ、これにより簡易な構成で高品位の照明光を出射することができる。
【００７１】
また光学ブロック及び又は板状部材に形成された保持機構により、光学ブロック及び板状部材を一体化して保持することにより、簡易な構成で、かつ簡易な作業で面光源装置を組み立てることができる。
【００７２】
さらに光学ブロック及び板状部材により光源の反射部材を挟持することにより、その分反射部材の保持機構を簡略化することができる。
【００７３】
【図面の簡単な説明】
【図１】本発明の第１の実施の形態に係るサイドライト型面光源装置を示す斜視図である。
【図２】図１のサイドライト型面光源装置をＥ−Ｅ線により示す断面図である。
【図３】図１のサイドライト型面光源装置をＧ−Ｇ線により示す断面図である。
【図４】図１のサイドライト型面光源装置の入射面側を拡大して示す断面図である。
【図５】図２との対比により本発明の第２の実施の形態に係るサイドライト型面光源装置を示す断面図である。
【図６】図５のサイドライト型面光源装置の入射面側を拡大して示す断面図である。
【図７】図２との対比により本発明の第３の実施の形態に係るサイドライト型面光源装置を示す断面図である。
【図８】図７のサイドライト型面光源装置をＪ−Ｊ線により示す断面図である。
【図９】図２との対比により本発明の第４の実施の形態に係るサイドライト型面光源装置を示す断面図である。
【図１０】図２との対比により本発明の第５の実施の形態に係るサイドライト型面光源装置の入射面側を拡大して示す断面図である。
【図１１】他の実施の形態に係る光学ブロックの一部を示す断面図である。
【図１２】図１１の他の実施の形態を示す断面図である。
【図１３】図１２の他の実施の形態を示す断面図である。
【図１４】図１３の他の実施の形態を示す断面図である。
【図１５】他の実施の形態に係る光学ブロックの繰り返し形状を示す断面図である。
【図１６】図１５の他の実施の形態を示す断面図である。
【図１７】従来のサイドライト型面光源装置を示す斜視図である。
【図１８】図１７のサイドライト型面光源装置をＡ−Ａ線により示す断面図である。
【符号の説明】
１、１０、２０、２５、３０、３５    サイドライト型面光源装置
２、１１、２６、３１、３６          光散乱導光板
３                                  一次光源
５、１５、２１、２７、３２          光学ブロック
６                                  蛍光ランプ
７                                  リフレクター
Ｅ                                  エッジ
Ｔ                                  入射面
【図１】
0003835770.tif 000002
【図２】
0003835770.tif 000003
【図３】
0003835770.tif 000004
【図４】
0003835770.tif 000005
【図５】
0003835770.tif 000006
【図６】
0003835770.tif 000007
【図８】
0003835770.tif 000008
【図７】
0003835770.tif 000009
【図９】
0003835770.tif 000010
【図１０】
0003835770.tif 000011
【図１１】
0003835770.tif 000012
【図１２】
0003835770.tif 000013
【図１３】
0003835770.tif 000014
【図１４】
0003835770.tif 000015
【図１５】
0003835770.tif 000016
【図１６】
0003835770.tif 000017
【図１７】
0003835770.tif 000018
【図１８】
0003835770.tif 000019